(57)【要約】      （修正有）【課題】ハンドヘルド電子機器を提供する。【解決手段】ハンドヘルド電子機器は主として、第一ケーシング２１０と第二ケーシング２２０で構成する。ディスプレイ画面２１２および撮像装置２２２をそれぞれ、第一ケーシングおよび第二ケーシングに設ける。ディスプレイ画面は第一ケーシングの前面２１０ａに配置している。第二ケーシングは第一ケーシングの背面２１０ｂに回転支持され、第二ケーシングが第一ポジションと第二ポジション間で開いたり閉じたりできるようになっている。第一ポジションでは第二ケーシングが第一ケーシング背面に設けた窪みの中に収容され、撮像装置は後方を向く。第二ポジションで第二ケーシングは第一ケーシングの上方に位置し、撮像装置は前方を向く。【選択図】図２Ａ
0003105939.tif 000002
【実用新案登録請求の範囲】
【請求項１】
前面、背面、前面に取り付けたディスプレイ画面を有する第一ケーシング、蝶番部分で第一ケーシングの背面に対して回転支持された第二ケーシング、画像を撮るために第二ケーシングに設けた撮像装置で構成するハンドヘルド電子機器であって、
撮像装置を第一ケーシングと第二ケーシング間の蝶番から離れた位置に設け、第二ケーシングを第一、第二ポジション間で動くようしており、第一ポジションでは第二ケーシングが第一ケーシング背面内に収容され、第二ポジションでは第二ケーシングが第一ケーシングの外側に配置され、撮像装置とディスプレイ画面が同じ方向を向くことを特徴とするハンドヘルド電子機器。
【請求項２】
第二ケーシングが第一ポジションにあるとき、撮像装置とディスプレイ画面がお互いに異なった方向を向くことを特徴とする請求項１に記載のハンドヘルド電子機器。
【請求項３】
第一ケーシングの背面が、第二ケーシングを収容する蝶番を設けた溝、第一ケーシングの上部壁を通る開口部を有する溝、第二ケーシングが第二ポジションに位置する時に開口部を通じて延伸する撮像装置で構成することを特徴とする請求項１に記載のハンドヘルド電子機器。
【請求項４】
第一ケーシングの上部壁が開口部上方に固定用プレートを有しており、第二ケーシングが第二ポジションに位置する時に第二ケーシングが固定用プレートに適合する溝を有していることを特徴とする請求項３に記載のハンドヘルド電子機器。
【請求項５】
第二ケーシングが第二ポジションにある時に、第二ケーシングが第一ケーシングの上部壁端に強く寄りかかることを特徴とする請求項３に記載のハンドヘルド電子機器。
【請求項６】
撮像装置がレンズを有していることを特徴とする請求項４に記載のハンドヘルド電子機器。
【請求項７】
ハンドヘルド電子機器がワイヤレス通信機能を有することを特徴とする請求項６に記載のハンドヘルド電子機器。
【請求項８】
ハンドヘルド電子機器が携帯電話であることを特徴とする請求項７に記載のハンドヘルド電子機器。
【請求項９】
ディスプレイ画面を取り付けた前面を有する第一ケーシング、蝶番部分のところで第一ケーシングに回転支持され第一、第二ポジション間で第一ケーシングに関して可動の第二ケーシング、蝶番部分から離れた位置で第二ケーシングに取り付けられた撮像装置で構成するハンドヘルド電子機器であって、
第一ポジションでは撮像装置がディスプレイ画面とは異なった方向を向き蝶番部分がディスプレイ画面と撮像装置間に位置し、第二ポジションでは撮像装置がディスプレイ画面と同じ方向を向き撮像装置で撮った画像がディスプレイ画面に表示されることを特徴とするハンドヘルド電子機器。
【請求項１０】
第一ポジションで第二ケーシングが第一ケーシングの背面に収容され、第二ポジションで第二ケーシングが第一ケーシングから突出する部分を有することを特徴とする請求項９に記載のハンドヘルド電子機器。
【請求項１１】
第二ケーシングが窓部を有しており、第二ポジションでディスプレイ画面が第二ケーシングで覆われるがディスプレイ画面の一部を窓部を通して外から見えることを特徴とする請求項９に記載のハンドヘルド電子機器。
【請求項１２】
第二ケーシングの長さが第一ケーシングより短く、第二ポジションでディスプレイ画面の一部が第二ケーシングにより覆われるが、ディスプレイ画面のその他部分が表に出ていることを特徴とする請求項９に記載のハンドヘルド電子機器。
【請求項１３】
第二ケーシングが窓部を有しており、第二ポジションで第一ケーシングの前面が第二ケーシングで覆われるがディスプレイ画面は窓部を通じて全体が表に出ていることを特徴とする請求項９に記載のハンドヘルド電子機器。
【請求項１４】
更に、第二ケーシングに付けたスピーカーおよび第一ケーシングの前面に付けた多数のキーを有していることを特徴とする請求項１３に記載のハンドヘルド電子機器。
【請求項１５】
更に、第一ケーシングが窓部を有し、第二ポジションで第一ケーシング背面が第二ケーシングで覆われており、撮像装置は窓部を通じて表に出ていることを特徴とする請求項９に記載のハンドヘルド電子機器。
【請求項１６】
更に、第二ケーシングに付けた複数のキー、および第二ケーシングの反対側に取り付けた撮像装置をそれぞれ含んでいることを特徴とする請求項１５に記載のハンドヘルド電子機器。
【請求項１７】
ディスプレイ画面を有する第一ケーシング、撮像装置を取り付けた第二ケーシングで構成するハンドヘルドエレクトロニクス機器であって、
第二ケーシングは第一ケーシングに回転支持され、第一、第二ポジション間で開閉することができ、第一ポジションでは撮像装置がディスプレイ画面とは反対方向を向き、第二ポジションでは撮像装置がディスプレイ画面と同じ方向を向くことを特徴とするハンドヘルド電子機器。
【請求項１８】
第一ポジションで第二ケーシングが第一ケーシングに設けた溝に収容され、第二ポジションで第二ケーシングは撮像装置が取り付けられる第一ケーシングより突出した部分を有することを特徴とする請求項１７に記載のハンドヘルド電子機器。
【請求項１９】
更に、撮像装置を操作するために第一ケーシングにキーを有していることを特徴とする請求項１８に記載のハンドヘルド電子機器。
【請求項２０】
第二ケーシングには窓部があり、第二ポジションでディスプレイ画面が窓部を通じて表から見え、第一ケーシングは更にディスプレイ画面下方にキーを有していることを特徴とする請求項１８に記載のハンドヘルド電子機器。
【請求項２１】
第一ケーシングには窓部があり、第二ポジションで撮像装置が窓部を通じて表に出ていることを特徴とする請求項１８に記載のハンドヘルド電子機器。
【考案の詳細な説明】
【技術分野】
【０００１】
本考案はハンドヘルド電子機器に関するものである。さらに言えば、本考案は反対する二つの方向で都合よく撮像できる撮像装置付きハンドヘルド電子機器に関するものである。
この申請は、２００４年１月３０日申請の台湾申請番号９３２０１３６６の優先権を主張するものである。
【背景技術】
【０００２】
ハンドヘルド電子機器はコンパクトでポータブルの電子機器である。ハンドヘルドの電子機器の例として、携帯電話、ポケットパソコン（ポケットＰＣ）、携帯情報端末（ＰＤＡ）が挙げられる。ハンドヘルド電子機器はワイヤレス通信やインターネット接続に使うことができるので、機器はコミュニケーションを行う上で用途が広く効率の良い手段である。現在、ハンドヘルド電子機器は最も需要の多いハイテク製品の一つとなっている。
【０００３】
図１Ａと１Ｂは従来の携帯電話１００の前面および背面の外観である。図１Ａと１Ｂに示すように、携帯電話１００には軸１０４の周りに１８０°回転できる撮像装置１０２がある。撮像装置１０２は、携帯電話１００の本体１１０の上部にある溝１１２内に設けられている。撮像装置１０２には、異なった方向で被写体の写真をとるために、１８０°の範囲内で回転できるレンズ１０６が含まれる。撮像装置１０２のレンズ１０６が携帯電話１００のディスプレイ画面１２０と同じ方向にあると、携帯電話１００のユーザーの画像を本体１１０のディスプレイ画面１２０に表示することができる。その後、ユーザーが本体１１０のファンクションキー１１６を押すと、撮像装置１０２の内部にある感光要素（図示していない）によりユーザーの画像を撮影できる。撮像装置１０２を背面側に１８０°回転してレンズ１０６を背面側に向くようにすると、ユーザーと対面する別の人や被写体の画像をディスプレイ１２０に表示することができる。その後、ユーザーが本体１１０のファンクションキー１１６を押すと、別の人や被写体の画像が撮像装置１０２の内部にある感光要素（図示していない）により撮影される。
【０００４】
米国特許 6,473,631では旋回ビデオ電話が公開されており、その撮像装置はビデオ電話本体を横方向軸に移動可能に回転支持する回転軸を有している。それにより撮像装置は自由に任意の方向に回転する。
【０００５】
前述の二つの携帯電話のいずれも、撮像装置を収容するために本体上部に溝を備えねばならない。溝は携帯電話本体の前面および背面を通って延伸している。携帯電話本体の成型および製造するコストは比較的高い。さらに、最も多い使用である前後方向で撮像装置のレンズを正確に信頼性を有して配置することは難しい。加えて、撮像装置は携帯電話に付けた追加部品のように見えるので、撮像装置が携帯電話の外観的なフィーリングの無欠性を損なう。
【０００６】
米国特許 5,491,507では、携帯ビデオ電話本体の一方で回転支持された撮像装置を示しており、希望する被写体の方向に撮像装置を回転して被写体の画像を撮影する。撮像装置により携帯電話のユーザーにはコンパクトでなく不完全な外観フィーリングを与える。さらに、撮像装置を特定の方向に固定してセットするには不便である。
【考案の開示】
【考案が解決しようとする課題】
【０００７】
よって、本考案の少なくとも一つの課題は、ハンドヘルド電子機器がユーザー自身や他の人および被写体のイメージを撮るために使用できるように、前方および後方に方向転換できる撮像装置を備えたハンドヘルド電子機器を提供することである。さらに、撮像装置がハンドヘルド機器に一体でコンパクトなイメージ効果を与えることである。
【課題を解決するための手段】
【０００８】
本考案の目的に従いメリットを達成するために、実施しており以下に記述するように、本考案では第一のケーシングと第二のケーシングを有するハンドヘルド電子機器を提供する。ディスプレイ画面と撮像装置はそれぞれ、第一ケーシングと第二ケーシングに設けられている。さらに、ディスプレイ画面は第一ケーシング前面に配置しており、第二ケーシングは第一ケーシングの背面に回転支持されている。画像を撮るための撮像装置は、第一ケーシングと第二ケーシング間の蝶番から離れたところに配置している。第二ケーシングは第一ケーシングと重ね合わせることができるようになっており、第二ケーシングは第一ポジションと第二ポジション間で動くことができ、第一ポジションでは第二ケーシングが第一ケーシングの背面に収容され、第二ポジションでは第二ケーシングが第一ケーシングの背面から離れて延びている。
【０００９】
別の実施例によれば、ハンドヘルド電子機器は主として、第一ケーシング、第二ケーシング、撮像装置で構成する。第一ケーシングにはディスプレイ画面があり、第二ケーシングは第一ケーシングに対して回転支持されている。第二ケーシングには内側面と外側面がある。第二ケーシングには内側面と外側面を貫通して延伸する窓部がある。加えて、画像を撮るために撮像装置が第二ケーシング外側面に設けられている。第二ケーシングは第一ケーシング上に折りたたむことができるので、撮像装置とディスプレイ画面の両方が同じ方向を向き、ディスプレイ画面は窓部を通じて表から見える。
【００１０】
本考案ではまた、別のハンドヘルド電子機器構成を提供する。ハンドヘルド電子機器は主として、第一ケーシング、第二ケーシング、撮像装置で構成する。第一ケーシングには第一面と第二面がある。第一ケーシングには、第一面上にディスプレイ画面そして第一面と第二面を貫通する窓部がある。第二ケーシングは第一ケーシングに回転支持されている。第二ケーシングは第一ケーシングの第二面の上で動くようになっている。撮像装置は画像を撮るために第二ケーシングに設けられている。第二ケーシングが第一ケーシングの第二面上に位置するとき、撮像装置とディスプレイ画面の両方が同じ方向を向くので、撮像装置はディスプレイ画面に対面するハンドヘルド電子機器ユーザーの画像を撮ることができる。この位置において、撮像装置は窓部を通じてユーザーの方を向く。
【００１１】
本考案の好ましい実施例によれば、撮像装置はレンズおよび感光装置で構成してもよい。被写体の画像はレンズを通過して感光装置上に投射され、それによりハンドヘルド電子機器はこれらの被写体の写真を撮影し、機器のメモリーに記憶される。感光装置は例えば、相補型金属酸化物半導体（ＣＭＯＳ）または電荷配列素子（ＣＣＤ）であってもよい。
【００１２】
本考案において、裏返しや折りたたみのできる撮像装置がついているので、前方または後方からくる画像がレンズを通過し感光装置に投射できる。よって、ハンドヘルド電子機器を保持するユーザーは、自分自身の画像またはユーザーと対面する他の人や被写体の画像を容易に撮影できる。さらに撮像装置は、第一ケーシングと外観的に一体部分となっている第二ケーシングに設けられている。よって、本考案のハンドヘルド電子機器は洗練された外観となる。最後に、撮像装置は溝スペース内のみで回転するように制限されないので、ハンドヘルド電子機器の操作が容易である。
【００１３】
前述の全般的な説明および後述の詳細な説明のいずれも例示的なものであることを理解願い、本考案について請求範囲として更に説明する。
【考案を実施するための最良の形態】
【００１４】
添付の図面で例を図示している本考案の好ましい実施例の詳細を参照されたい。同じまたは類似の部品を参照するために、図および説明において可能な限り同じ参照番号を使用している。
【実施例１】
【００１５】
図２Ａと２Ｂは、本考案の好ましい第一実施例によるハンドヘルド電子機器２００の前面と背面の外観である。図２Ａと２Ｂに示すように、ハンドヘルド電子機器２００は主として第一ケーシング２１０および第二ケーシング２２０で構成する。第一ケーシング２１０は、その前面２１０ａに取り付けたディスプレイ画面２１２を有しており、第二ケーシング２２０には撮像装置２２２がある。第一ケーシング２１０は掌サイズのボディであり、その中にハンドヘルド電子機器２００の主な電子部品全てを収容している。ディスプレイ画面２１２のほかに、第一ケーシング２１０の前面２１０ａには更に、電話用キー２１４およびディスプレイ画面２１２と電話用キー２１４の間にファンクションキー２１６がある。さらに、第二ケーシング２２０は第一ケーシング２１０の背面２１０ｂに回転支持されている。撮像装置２２２が第一ケーシング２１０の背面２１０ｂに位置しているとき、撮像装置２２０のレンズ２２４は後方を向いている。この位置において、ハンドヘルド電子機器２００の後方にある被写体の画像をレンズ２２４を通じて撮像装置２２２で撮り、ディスプレイ画面２１２上に表示することができる。ユーザーが第一ケーシング２１０にあるファンクションキー２１６の決められた一つを押すと、ディスプレイ画面２１２に表示されている画像をハンドヘルド電子機器のメモリーに記憶することができる。
【００１６】
図３に関して、第一ケーシング２１０の背面２１０ｂには、中に第二ケーシング２２０を収容するために蝶番を設けた溝２１８がある。さらに、蝶番を設けた溝２１８には第一ケーシング２１０の上部壁をとおる開口部２１９がある。蝶番を設けた溝２１８が第一ケーシング２１０の前面２１０ａにまで貫通していないので、ハンドヘルド電子機器２００は全体としてコンパクトなイメージフィーリングを維持することができる。さらに、第二ケーシング２２０を蝶番を設けた溝２１８内に収容するとき、撮像装置２２２を取り付けている第二ケーシング２２０の表面は第一ケーシング２１０の背面２１０ｂと面一になり、ハンドヘルド電子機器２００は滑らかな輪郭をつくりだし、それによりハンドヘルド電子機器２００を美的にアピールすることになる。図３でわかるように、この位置において蝶番部分２２６はディスプレイ画面２１２と撮像装置２２２の間に配置される。
【００１７】
図４は、図３の撮像装置２２２を前向き方向に回転した状態を示している。第一ケーシング２１０および第二ケーシング２２０は蝶番部分２２６を通じてお互いに繋がっている。撮像装置２２２は蝶番部分２２６から離れた位置に設けられている。第二ケーシング２２０が１８０°回転して図３の位置から図４の位置にくると、第二ケーシング２２０は上部開口部２１９をとおって延伸し、そして撮像装置２２２のレンズ２２４はディスプレイ画面２１２と同じ方向を向く。第二ケーシング２２０は第一ポジションと第二ポジションの間で回転でき、第一ポジションでは第二ケーシング２２０は図３に示すように溝２１８内に全体が収容され、第二ポジションでは第二ケーシング２２０が図４に示すように上部開口部２１９をとおって延伸する。さらに、１８０°回転した後には、撮像装置２２２のレンズ２２４は第一ケーシング２１０の上方に位置して、ディスプレイ画面２１２と同じく前方を向く。よって、第一ケーシング２１０上のディスプレイ画面２１２は、ハンドヘルド電子機器２００のユーザーがレンズ２２４に向かうと、自分の画像を表示することができる。その後で、ユーザーが第一ケーシング２１０上のファンクションキー２１６の決められた一つを押すと、ユーザーの画像はハンドヘルド電子機器２００のメモリーに記憶される。
【００１８】
図３と４で示すように、第一ケーシング２１０の上部壁に固定用プレート２３０を形成しており、開口部２１９の上方に延伸している。さらに、第二ケーシング２２０にはそれに対応するスロット２３２がある。第二ケーシング２２０が回転して開口部２１９上方の位置にくると、固定用プレート２３０はスロット２３２に噛み合い、撮像装置２２２は確実にその位置に固定される。固定用プレート２３０は第一ケーシング２１０と第二ケーシング２２０の間のギャップを覆う役割もしており、ハンドヘルド電子機器２００を改善して連続した外観を保つ。さらに、第二ケーシング２２０の外側には刻み目２３４を設けており、ユーザーの指で第一ポジションから第二ポジションおよびその逆に第二ケーシング２２０を動かせるようにしている。撮像装置２２２がディスプレイ画面２１２の反対方向を向くとき、撮像装置２２２は蝶番部分２２６の下方に位置している。他方、撮像装置２２２がディスプレイ画面２１２と同じ方向を向くとき、撮像装置２２２は蝶番部分２２６の上方に位置する。
【００１９】
図５と６は本考案の第一実施例を修正したものの側面外観を示しており、第二ケーシング２２０が図６に示すように第二ポジションに移動すると、第二ケーシング２２０は第一ケーシング２１０の上部壁端に強く寄りかかるので、第一、第二ケーシング２１０、２２０間のギャップ２４０を最小化でき、ハンドヘルド電子機器２００の外観的なフィーリングを強化する。この修正実施例においては、第二ケーシング２２０が第一ポジションから第二ポジションおよびその逆に自由に動けるようにするために、蝶番を設けた溝を参照番号２１８で示す元来の位置から参照番号２３８で示す新しい位置に大きくせねばならない。
【００２０】
本考案の第一実施例およびその修正例において、ディスプレイ画面および撮像装置をそれぞれ第一ケーシングおよび第二ケーシングに設けている。第二ケーシングを第一ケーシング背面にある蝶番を設けた溝に戻すと、ディスプレイ画面と撮像装置は図３および図５に示すようにお互いに異なった方向に向く。第一ケーシングの蝶番を設けた溝から第二ケーシングを回転させた後には、ディスプレイ画面と撮像装置は図４および図６に示すように同じ方向を向く。よって、本考案のハンドヘルド電子機器の撮像装置により、ユーザー自身、その他の人または被写体の画像を容易に撮影することができる。
【実施例２】
【００２１】
図７Ａ〜７Ｄは、本考案の好ましい第二実施例によるハンドヘルド電子機器３００の折りたたみ構造を示している。図７Ａ〜７Ｄで示すように、ハンドヘルド電子機器３００にはディスプレイ画面３１０および撮像装置３２０がある。ディスプレイ画面３１０および撮像装置３２０はそれぞれ、第一ケーシング３０２および第二ケーシング３０４に設けられている。第二ケーシング３０４は蝶番（番号を付していない）により第一ケーシング３０２の端に回転支持されている。さらに、第一ケーシング３０２と第二ケーシング３０４がお互いに折りたたまれているときは、第二ケーシング３０４は第一ケーシング３０２のディスプレイ画面３１０を覆っている。注目すべきことは、第二ケーシング３０４に第二ケーシング３０４の内側面３０４ａおよび外側面３０４ｂを貫通する窓部３０６があることである。第二ケーシング３０４が第一ケーシング３０２のディスプレイ画面３１０を覆う時でも、図７Ｂおよび７Ｄに示すようにディスプレイ画面３１０の一部が窓部３０６を通じて外側から見える。第二ケーシングにはハンドヘルド電子機器３００にデータや命令を入力するためのキー（番号を付していない）がある。
【００２２】
撮像装置３２０は第二ケーシング３０４の外側面３０４ｂ上に設けられている。撮像装置３２０は主として、レンズ３２２および第二ケーシング３０４に収容されている感光装置（図示していない）で構成している。レンズ３２２を被写体に向けると、被写体の画像は感光装置で受光される。第二ケーシング３０４を第一ケーシング３０２から起こして離すと、ディスプレイ画面３１０および撮像装置３２０はそれぞれ、図７Ａと７Ｃに示すように異なった方向を向く。これと反対に第二ケーシング３０４が第一ケーシング３０２と重なった状態にあると、ディスプレイ画面３１０と撮像装置３２０の両方が図７Ｂと７Ｄで示すように同じ方向を向く。結果として、適切な方向に撮像装置３２０を向けることにより、ハンドヘルド電子機器３００はユーザー自身だけでなく他の人や被写体の映像を撮ることができる。ハンドヘルド電子機器３００を使用してユーザーの画像を撮るとき、ハンドヘルド電子機器３００は図７Ｂと７Ｄの折りたたんだ（閉じた）状態にあり、ディスプレイ画面３１０上のユーザーの画像を窓部３０６を通じてユーザーが見ることができる。ハンドヘルド電子機器３００を使って他の人や被写体のイメージを撮るとき、ハンドヘルド電子機器３００は図７Ａと７Ｃの折りたたみを開いた状態にあり、ディスプレイ画面３１０上の画像をユーザーが直接見ることができる。
【実施例３】
【００２３】
図８Ａ〜８Ｄは、本考案の好ましい第三実施例によるハンドヘルド電子機器４００の折りたたみを開閉した状態を示している。図８Ａ〜８Ｄで示すように、ハンドヘルド電子機器４００にはディスプレイ画面４１０および撮像装置４２０がある。ディスプレイ画面４１０および撮像装置４２０はそれぞれ、第一ケーシング４０２および第二ケーシング４０４に設けられている。第二ケーシング４０４は蝶番（番号をつけていない）により第一ケーシング４０２の端に回転支持されている。さらに、第一ケーシング４０２と第二ケーシング４０４がお互いに折りたたまれている時には、第二ケーシング４０４は第一ケーシング４０２のディスプレイ画面４１０の一部を覆っている。注目すべきは、図８Ｂと８Ｄに示すように、第二ケーシング４０４が第一ケーシング４０２全体を覆っているのではなく、ディスプレイ画面４１０の一部が表から見えることである。第二ケーシング４０４の長さは第一ケーシング４０２より短い。撮像装置４２０は主として、レンズ４２２および第二ケーシング４０４内の感光装置（図示していない）で構成している。第二ケーシング４０４にはハンドヘルド電子機器４００にデータと命令を入力するためのキー（番号をつけていない）がある。
【００２４】
よって、ハンドヘルド電子機器４００の撮像装置４０２を使い、異なった方向の画像を撮ることができる。さらに、電子機器４００を折りたたんでいる時でも、第二ケーシング４０４はユーザーがディスプレイ画面４１０の表示画像を見ることを妨げない。図８Ａと８Ｃで示すように、ハンドヘルド電子機器４００を折りたたんでいない時には、ディスプレイ画面４１０と撮像装置４２０はそれぞれ異なった方向を向いている。蝶番はディスプレイ画面４１０と撮像装置４２０の間に配置している。他方、図８Ｂと８Ｄで示すように、ハンドヘルド電子機器４００を折りたたんだ時には、ディスプレイ画面４１０と撮像装置４２０は同じ方向を向く。
【実施例４】
【００２５】
図８Ｅ〜８Ｊは、本考案の好ましい第四実施例によるハンドヘルド電子機器４５０の種々の構成を示す図である。ハンドヘルド電子機器４５０にはディスプレイ画面４５８および撮像装置４６６がある。ディスプレイ画面４５８および撮像装置４６６はそれぞれ、第一ケーシング４５２および第二ケーシング４５４に設けられている。さらに、第一ケーシング４５２と第二ケーシング４５４をお互いに繋ぐ蝶番４６４により、第二ケーシング４５４は第一ケーシング４５２の端に回転支持されている。第一ケーシング４５２と第二ケーシング４５４を一緒に折りたたんだ後は、第二ケーシング４５４は第一ケーシング４５２のディスプレイ画面４５８の上方にくる。注目すべきは、第二ケーシング４５４には第二ケーシング４５４の内側から外側に貫通する窓部４６０があることである。窓部４６０の大きさはディスプレイ画面４５８の大きさと大体同じである。図８Ｆ、８Ｇ、８Ｉで示すように、第二ケーシング４５４が第一ケーシング４５２の上部にあるとき、窓部４６０はディスプレイ画面４５８全体を見えるようにする。第二ケーシング４５４の窓部４６０の上方にスピーカー４６２も付いており、音の情報をユーザーに伝える。第一ケーシング４５２にはハンドヘルド電子機器４５０にデータと命令を入力するための一連のキー４５６がある。
【００２６】
撮像装置４６６は第二ケーシング４５４の外側面上に設けている。撮像装置４６６は主として、レンズ４６８および第二ケーシング４５４にある感光装置（図示していない）で構成している。図８Ｈと８Ｊで示すように、第二ケーシング４５４を開いて第一ケーシング４５２から切り離すと、ディスプレイ画面４５８と撮像装置４６６はお互いに異なった方向を向くので、撮像装置４６６を使ってハンドヘルド電子機器４５０のユーザー以外の人や被写体の画像を撮ることができる。折りたたまない図８Ｊの状態において、蝶番４６４はディスプレイ画面４５８と撮像装置４６６の間に位置している。反対に図８Ｇと８Ｉで示すように、第二ケーシング４５４と第一ケーシング４５２を折りたたむと、ディスプレイ画面４５８と撮像装置４６６の両方は同じ方向を向く。この位置ではハンドヘルド電子機器４５０はユーザー自身の画像を撮ることができる。ディスプレイ画面４５８上のユーザーの画像は、窓部４６０を通じてユーザーが見ることができる。
【実施例５】
【００２７】
図９Ａと９Ｂは、本考案の好ましい第五実施例によるハンドヘルド電子機器５００の前面と背面外観である。図９Ａと９Ｂで示すように、ハンドヘルド電子機器５００はディスプレイ画面５１０と撮像装置５２０で構成している。ディスプレイ画面５１０と撮像装置５２０はそれぞれ、第一ケーシング５０２および第二ケーシング５０４に設けられている。第二ケーシング５０４は蝶番（番号を付していない）により第一ケーシング５０２の端に回転支持されており、第二ケーシング５０４は第一ケーシング５０２とは相対回転できる。ハンドヘルド電子機器５００にデータと命令を送るための複数のキー（番号を付していない）が、第二ケーシング５０４に設けられている。注目すべきは、ディスプレイ画面５１０が第一ケーシング５０２の前面５０２ａに配置されていることである。さらに、第一ケーシング５０２には第一ケーシング５０２の前面５０２ａと背面５０２ｂを貫通する窓部５０６がある。（図１１と１２で示すように）第二ケーシング５０４を裏返して第一ケーシング５０２の背面５０２ｂに重ねあわせると、窓部５０６により撮像装置５２０が表に出る。
【００２８】
図１０は図９Ａのハンドヘルド電子機器５００の側面図である。図１１と１２は、図９ＡとＢ、１０のハンドヘルド電子機器５００の折りたたんだ状態での側面図および前面図である。撮像装置５２０は主として、レンズ５２２および第二ケーシング５０４にある感光装置（図示していない）で構成する。ハンドヘルド電子機器５００の折りたたんだ状態で、機器５００のユーザーの画像は窓部５０６とレンズ５２２を通過して感光装置で受像され、ディスプレイ画面５１０に表示される。よって、ユーザーはハンドヘルド電子機器５００をデジタルカメラのように使用して、容易に自分の写真を自分自身で撮ることができる。折りたたんだ状態で、ディスプレイ画面５１０と撮像装置５２０は同じ方向を向いている。図９ＡとＢ、１０の折りたたんでない状態では、ディスプレイ画面５１０と撮像装置５２０は反対の方向を向いており、ユーザーは機器５００をデジタルカメラとして使用して、他の人や被写体の写真を撮ることができる。折りたたんでない状態で、蝶番はディスプレイ画面５１０と撮像装置５２０の間に配置されている。
【００２９】
当該分野で精通したものには、本考案の意図や適用範囲から外れることなく、本考案の構造に対して種々の修正や変形体を設けられることは明らかである。前記の観点から、本考案は、実用新案請求範囲および同等のものの範囲に相当するなら、本考案の修正や変形体もカバーするものである。
【図面の簡単な説明】
【００３０】
添付の図は本考案をより理解するために提供されており、この明細書に組み込まれてその一部を構成している。図は本考案の実施例を示しており、記述と一緒で本考案の原理を説明するためのものである。
【図１Ａ】従来の携帯電話の前面および背面外観。
【図１Ｂ】従来の携帯電話の前面および背面外観。
【図２Ａ】本考案の好ましい第一実施例によるハンドヘルド電子機器の前面および背面外観。
【図２Ｂ】本考案の好ましい第一実施例によるハンドヘルド電子機器の前面および背面外観。
【図３】本考案第一実施例によるハンドヘルド電子機器上部の側面図であり、第二ケーシングは第一ポジションにある。
【図４】図３と同様の外観図であり、第二ケーシングは第二ポジションにある。
【図５】それぞれ図３および図４と同様の外観であり、本考案第一実施例の変形体を示す。
【図６】それぞれ図３および図４と同様の外観であり、本考案第一実施例の変形体を示す。
【図７Ａ】本考案の好ましい第二実施例によるハンドヘルド電子機器で開いた状態と閉じた状態を示す前面外観。
【図７Ｂ】本考案の好ましい第二実施例によるハンドヘルド電子機器で開いた状態と閉じた状態を示す前面外観。
【図７Ｃ】それぞれ図７Ａと７Ｂの側面外観。
【図７Ｄ】それぞれ図７Ａと７Ｂの側面外観。
【図８Ａ】本考案の好ましい第三実施例によるハンドヘルド電子機器で開いた状態と閉じた状態を示す前面外観。
【図８Ｂ】本考案の好ましい第三実施例によるハンドヘルド電子機器で開いた状態と閉じた状態を示す前面外観。
【図８Ｃ】それぞれ図８Ａと８Ｂの側面外観。
【図８Ｄ】それぞれ図８Ａと８Ｂの側面外観。
【図８Ｅ】本考案の好ましい第四実施例によるハンドヘルド電子機器で開いた状態と閉じた状態を示す遠視図。
【図８Ｆ】本考案の好ましい第四実施例によるハンドヘルド電子機器で開いた状態と閉じた状態を示す遠視図。
【図８Ｇ】本考案の好ましい第四実施例によるハンドヘルド電子機器で開いた状態と閉じた状態を示す前面外観。
【図８Ｈ】本考案の好ましい第四実施例によるハンドヘルド電子機器で開いた状態と閉じた状態を示す前面外観。
【図８Ｉ】それぞれ図８Ｇと８Ｈの側面外観。
【図８Ｊ】それぞれ図８Ｇと８Ｈの側面外観。
【図９Ａ】本考案の好ましい第五実施例によるハンドヘルド電子機器で開いた状態を示す前面および背面外観。
【図９Ｂ】本考案の好ましい第五実施例によるハンドヘルド電子機器で開いた状態を示す前面および背面外観。
【図１０】図９Ａの側面外観。
【図１１】図１０と同じハンドヘルド電子機器の閉じた状態の外観。
【図１２】図１１の前面外観。
【符号の説明】
【００３１】
１００  従来の携帯電話
２００、３００、４００、４５０、５００      ハンドヘルド電子機器
２１０、３０２、４０２、４５２、５０２      第一ケーシング
２２０、３０４、４０４、４５４、５０４      第二ケーシング
１２０、２１２、３１０、４１０、４５８、５１０      ディスプレイ画面
２１４、４５６    キー
２１６    ファンクションキー
２１８    蝶番を設けた溝
２１９    開口部
１０２、２２２、３２０、４２０、４６６、５２０    撮像装置
１０６、２２４、３２２、４２２、４６８、５２２    レンズ
２２６、４６４    蝶番部分
２３０  固定用プレート
２３２  スロット
２３４  刻み目
３０６、４６０、５０６  窓部
【図１Ａ】
0003105939.tif 000003
【図１Ｂ】
0003105939.tif 000004
【図２Ａ】
0003105939.tif 000005
【図２Ｂ】
0003105939.tif 000006
【図３】
0003105939.tif 000007
【図４】
0003105939.tif 000008
【図５】
0003105939.tif 000009
【図６】
0003105939.tif 000010
【図７Ａ】
0003105939.tif 000011
【図７Ｂ】
0003105939.tif 000012
【図７Ｃ】
0003105939.tif 000013
【図７Ｄ】
0003105939.tif 000014
【図８Ａ】
0003105939.tif 000015
【図８Ｂ】
0003105939.tif 000016
【図８Ｃ】
0003105939.tif 000017
【図８Ｄ】
0003105939.tif 000018
【図８Ｅ】
0003105939.tif 000019
【図８Ｆ】
0003105939.tif 000020
【図８Ｇ】
0003105939.tif 000021
【図８Ｈ】
0003105939.tif 000022
【図８Ｉ】
0003105939.tif 000023
【図８Ｊ】
0003105939.tif 000024
【図９Ａ】
0003105939.tif 000025
【図９Ｂ】
0003105939.tif 000026
【図１０】
0003105939.tif 000027
【図１１】
0003105939.tif 000028
【図１２】
0003105939.tif 000029